(57)【特許請求の範囲】
【請求項１】
集合住宅の各住戸に設置されたモニタテレビ付インターホンと、集合住宅の共同玄関に設置されたロビーインターホンと、集合住宅の中央に設けられた映像蓄積手段とを備えた集合住宅監視通話システムであって、
上記映像蓄積手段は、通信回線を介して管理センタに接続されており、管理センタから上記通信回線を通じて受信した映像信号を蓄積した後、その映像信号を上記各住戸のインターホンに対して送信する構成としており、
また上記各住戸のインターホンのいずれにも、上記ロビーインターホン側からの映像信号が送信されていないときにのみ、上記蓄積した映像信号を送信することを特徴とした集合住宅監視通話システム。
【請求項２】
上記映像蓄積手段は、上記各住戸のインターホンから要求があったときには、上記蓄積した映像信号を要求元の住戸のインターホンに対して送信し、その映像をモニタテレビに映し出させることを特徴とする請求項１に記載の集合住宅監視通話システム。
【請求項３】
上記住戸のモニタテレビ付インターホンは、録画機能を備えており、
上記映像蓄積手段は、上記蓄積した映像信号を送信して、その映像を上記住戸のインターホンに録画させることを特徴とする請求項１又は請求項２に記載の集合住宅監視通話システム。
【請求項４】
上記映像蓄積手段は、時計機能を更に備えており、予め定めた時刻になったときに、上記蓄積した映像信号を送信することを特徴とする請求項１〜請求項３のいずれかに記載の集合住宅監視通話システム。
【請求項５】
上記管理センタは、上記画像蓄積手段に対して、同期用の映像信号を付加した映像信号を送信することを特徴とする請求項１〜請求項４のいずれかに記載の集合住宅監視通話システム。
【請求項６】
上記映像蓄積手段は、上記住戸のインターホンに対して、同期用の映像信号を付加した映像信号を送信することを特徴とする請求項１〜請求項５のいずれかに記載の集合住宅監視通話システム。
【請求項７】
上記映像蓄積手段は、上記同期用の映像信号を付加した映像信号を、エンドレス送信することを特徴とする請求項６に記載の集合住宅監視通話システム。
【発明の詳細な説明】
【０００１】
【発明の属する技術分野】
本発明は、遠隔の管理センタから通信回線を介して受信した映像を、各住戸に設置されたインターホンのモニタテレビに映し出せるようにした集合住宅の監視通話システムに関する。
【０００２】
【従来の技術】
マンションなどの集合住宅では、図１１に示すように、各住戸にモニタテレビＭ付きのインターホン１０１を設置する一方、共同玄関にロビーインターホン１０６を設置し、管理人室や警備センタには警報監視盤１０４を設置して、監視通話システムを構成している。
【０００３】
このような構成によって、警報監視盤１０４は、各住戸のセキュリティ監視を行うとともに、各住戸のインターホン１０１とロビーインターホン１０６の間、各住戸のインターホン１０１と警報監視盤１０４の間、警報監視盤１０４とロビーインターホン１０６の間の各々の通話を可能にしている。
【０００４】
ロビーインターホン１０６から、住戸番号を指定して呼出があると、警報監視盤１０４は、その住戸のインターホン１０１を呼び出して、映像制御盤１０５を介して、ロビーインターホン１０６に内蔵されているカメラが撮影した映像が送信され、インターホン１０１のモニタテレビＭに、ロビーインターホン１０６側の映像が映し出される。
【０００５】
住戸のインターホン１０１では、モニタテレビＭに映し出される映像を見て、呼び出した人が住戸人や知人であることを確認し、集合住宅内に招き入れるときには、ハンドセットの取り上げなどで応答し、ロビーインターホン１０６との通話中に解錠ボタンを操作する。そうすると、警報監視盤１０４から解錠信号が送出され、呼出元のロビーインターホン１０６側にある共同玄関の電気錠が解錠される。
【０００６】
また、このような集合住宅では、管理人室などに設置された画像取込装置１０３（画像提示装置）から、集会の案内などの画像を電子回覧板情報として取り込み、各住戸のインターホン１０１に接続された録画ユニットＵに、録画できるようになっている。図中、１０２は、画像取込装置１０３において取り込んだ画像を映し出して確認するためのモニタテレビである。
【０００７】
【発明が解決しようとする課題】
ところが、上記従来の集合住宅監視通話システムでは、電子回覧板情報を各住戸に送信しようとすれば、予め回覧内容を用紙に記載し、その用紙を画像取込装置（スキャナやカメラ）から取り込ませる必要があるので、用紙への記載が面倒であり、わざわざ管理人室などに出向かなければならなかった。
【０００８】
また、画像の取り込みは、日常に生活している昼間に行うことが多いが、昼間には集合住宅の各住戸への来客もあるので、ロビー側から住戸側への映像の送信の妨げにならないように、映像路の使用状態を確認する必要があった。
【０００９】
本発明は、このような事情を考慮してなされたものであり、電子回覧板情報を各住戸に対して、簡単に送信できるようにした集合住宅監視通話システムを提供することを目的としている。
【００１０】
【課題を解決するための手段】
上記目的を達成するために、本発明の集合住宅監視通話システムは、集合住宅の各住戸に設置されたモニタテレビ付インターホンと、集合住宅の中央に設けられた映像蓄積手段とを備えている。ここに、「集合住宅の中央」とは、集合住宅に設けられている管理人室や機械室などをいい、ここに設置されている映像蓄積手段と各住戸のインターホンとが、映像線を介して接続される。
【００１１】
また、請求項１では、映像蓄積手段は、通信回線を介して管理センタに接続されており、管理センタから通信回線を通じて受信した映像信号を蓄積した後、その映像信号を各住戸のインターホンに対して送信する。ここに、通信回線には、電話回線やＩＳＤＮなどの公衆回線、専用線、インターネットなどの通信ネットワークなどのすべての電気通信回線を含んでいる。
【００１２】
映像蓄積手段は、管理センタから受信した映像信号を蓄積すると、その映像信号をすぐに住戸側に送信したり、住戸側からの要求に応じて送信したり、所定の時刻になった時点に送信したりする。また映像蓄積手段は、ロビーインターホンのカメラで撮影している映像が、呼出先の住戸のインターホンに対して送信されているときには、映像蓄積手段は、住戸側に映像信号を送信しない。
【００１３】
請求項２では、請求項１において、映像蓄積手段は、各住戸のインターホンから要求があったときに、蓄積した映像信号を要求元の住戸のインターホンに対して送信し、その映像をモニタテレビに映し出させる。
【００１４】
請求項３では、請求項１又は請求項２において、住戸のモニタテレビ付インターホンは、録画機能を備えており，映像蓄積手段は、蓄積した映像信号を送信して、その映像を住戸のインターホンに録画させる。このとき、住戸のインターホンでは、録画と同時に、モニタテレビに映像を映し出すようにしてもよい。
【００１６】
請求項４では、請求項１〜請求項３のいずれかにおいて、映像蓄積手段は、時計機能を更に備えており、予め定めた時刻になったときに、蓄積した映像信号を送信する。
【００１７】
請求項５では、請求項１〜請求項４のいずれかにおいて、管理センタは、画像蓄積手段に対して、同期用の映像信号を付加した映像信号を送信する。また、請求項６では、請求項１〜請求項５のいずれかにおいて、映像蓄積手段は、住戸のインターホンに対して、同期用の映像信号を付加した映像信号を送信する。この場合、映像蓄積手段において、同期用の映像信号を付加することには限られず、管理センタにおいて同期用の映像信号が付加された映像信号を、住戸側に送信することも含まれる。
【００１８】
請求項７では、請求項６において、映像蓄積手段は、同期用の映像信号を付加した映像信号をエンドレス送信する。これによって、住戸側のインターホンでは、同期用の映像信号を検出してから、次の同期用の映像信号を検出するまでの間の映像信号を受信することができる。
【００１９】
【発明の実施の形態】
以下に、本発明の実施の形態について、図面とともに説明する。図１は、集合住宅監視通話システムの構成の一例を示した図である。この集合住宅には、少なくとも、各住戸に設置されたモニタテレビ付インターホン１と、集合住宅の中央の管理人室等に設けられた映像蓄積手段２とを備えている。
【００２０】
映像蓄積手段２は、データ通信機能を備えたコンピュータ等で構成されており、通信回線Ｌを介して管理センタ３に接続されている。管理センタ３も、データ通信機能を備えたコンピュータなどで構成されており、電子回覧板情報などが作成できるようになっている。
【００２１】
ここでは、アナログ回線である電話網を接続するために、映像蓄積手段２にはモデム４を備えている。なお、通信回線Ｌには、電話回線には限定されず、ＩＳＤＮなどの他の公衆回線、専用線、インターネットなどの通信ネットワークなどであってもよく、すべての電気通信回線を含んでいる。
【００２２】
また、図示した集合住宅には、管理人室などに設置され、住戸のセキュリティ監視とインターホン通話を制御する警報監視盤５と、映像信号の混合、分配の制御等を行う映像制御盤６と、共同玄関に設置されたロビーインターホン７とを備えている。
【００２３】
各住戸のインターホン１は、映像制御盤６によって、ロビーインターホン７のカメラで撮影された映像や、映像蓄積手段２に蓄積された映像を、映像線を通じて受信し、モニタテレビＭに映し出せるようになっている。
【００２４】
映像蓄積手段２は、管理センタ３から通信回線Ｌを通じて受信した映像信号を蓄積した後、その映像信号を各住戸のインターホン１に対して送信する。映像蓄積手段２は、管理センタ３から受信した映像信号を蓄積すると、その映像信号をすぐに住戸側に送信したり、住戸のインターホン１からの要求に応じて送信したり、所定に時刻になった時点に送信したりする。
【００２５】
このように、映像制御盤６は、映像蓄積手段２を接続し、ロビーインターホン７からの映像と、映像路を分岐させる構成にしているので、従来の構成に対する簡単な構成の追加によって、映像蓄積手段２に蓄積した映像を、各住戸のインターホン１のモニタテレビＭに映し出すことができる。
【００２６】
したがって、本発明の集合住宅監視通話システムでは、電子回覧板情報を、遠隔の管理センタ３から通信回線Ｌを介して受信し、この情報を各住戸に送信することができる。また、管理センタ３からは、複数の集合住宅に対し一括に電子回覧板情報を送信して、各々の集合住宅に属する多くの住戸に所望の映像を送信することができる。
【００２７】
このように、遠隔の管理センタ３から映像信号を送信すれば、従来のように、回覧内容を用紙に記載する必要がなく、その用紙を画像取込装置から取り込まなくてもよいので、わざわざ管理人室などに出向く必要もない。管理センタ３では、電子情報を利用しているため、その内容の一部を修正して、他の情報に利用することも簡単にできる。
【００２８】
図２には、各住戸に設置されたインターホン１の構成をブロック図で示している。インターホン１は、本体部１ａにモニタテレビＭを接続して構成されており、本体部１ａは、本体部１ａ内の各部を信号制御するＣＰＵ回路１０と、警報監視盤４との間で、多重伝送線などを介して信号の送受信を行う信号送受信回路１１と、ロビーインターホン７や警報監視盤４との間で、通話線を介して通話するための通話回路１２と、ＬＥＤなどで構成される表示回路１３と、テンキーなどの各種操作キーで構成される操作部１４とを備えている。
【００２９】
一方のモニタテレビＭは、モニタテレビＭ内の各部を信号制御するＣＰＵ回路１５と、映像制御盤３から受信する映像信号のうち、特定の周波数のみを受信するフィルタ１６と、ＦＭ変調された映像信号を復調する復調回路１７と、ＣＰＵ回路１５の制御によって、ＬＣＤ１９に映像を映し出す映像信号出力回路１８と、モニタボタンなどを備えた操作回路１Ａとを備えている。モニタテレビＭでは、本体部１ａからのテレビ起動信号を受けて起動し、映像制御盤６を介して受信する映像を、ＬＣＤ１９に映し出す。
【００３０】
図３には、映像蓄積手段２、映像制御盤６、警報監視盤５の各々の構成をブロック図で示している。図３（ａ）に示す映像蓄積手段２は、映像蓄積手段２内の各部を信号制御するＣＰＵ回路２０と、警報監視盤５との間で、多重伝送線などを介して信号の送受信を行う信号送受信回路２１と、メモリなどで構成される映像蓄積回路２２と、警報監視盤５からの制御信号を受信して、映像蓄積回路２２に蓄積された映像信号を映像制御盤６に対して出力すべく、映像路を形成する映像接続回路２３と、映像制御盤６に出力する映像信号をＦＭ変調するＦＭ変調回路２４とを備えている。
【００３１】
図３（ｂ）に示す映像制御盤６は、映像蓄積手段２からの映像信号とロビーインターホン７からの映像信号とを干渉することなく合成するための混合回路６０と、特定の周波数のみの映像信号を受信するためのフィルタ６１と、アンプ６２と、各住戸に映像信号を分配するための分配回路６３とを備えている。
【００３２】
図３（ｃ）に示す警報監視盤５は、警報監視盤５内の各部を信号制御するＣＰＵ回路５０と、住戸のインターホン１などとの間で、多重伝送線などを介して信号の送受信を行う信号送受信回路５１と、ロビーインターホン７や各住戸のインターホン１などとの間で、通話線を介して通話するための通話回路５２と、各住戸に対応した表示窓や、ＬＥＤ、ＬＣＤなどで構成される表示回路５３と、テンキーなどの各種操作キーで構成される操作部５４とを備えている。
【００３３】
次に、本発明の集合住宅監視通話システムの動作の一例を図４とともに説明する。ここには、映像蓄積手段２は、各住戸のインターホン１から要求があったときに、蓄積した映像信号を要求元の住戸のインターホン１に対して送信し、その映像をモニタテレビＭに映し出させる場合を示している。
【００３４】
管理センタ３は、電子回覧板情報を通信回線Ｌを介して送信し（１００）、映像蓄積手段２（映像蓄積回路２２）に蓄積させる（１０１）。各住戸のインターホン１では、電子回覧板情報を確認したいときには、回覧板確認ボタンを操作し、その操作を操作回路１４で検出して、映像確認要求を送出する（１０２）。
【００３５】
警報監視盤５は、住戸のインターホン１から映像確認要求を受ければ、ロビーインタホン７からの住戸のインターホン１の呼び出しなどにより、映像路が使用中であるかを確認する（１０３）。このとき、映像路が使用中でなければ、映像蓄積手段２に対して、映像の送信開始要求を行う（１０４）。
【００３６】
そうすると、映像蓄積手段２は、映像制御盤６を介して、ボタン操作をしたインターホン１に対し、蓄積していた映像信号を送信する（１０５）。住戸のインターホン１では、電子回覧板情報の確認を終了するときには、再度、回覧板確認ボタンを操作すれば、映像停止要求を送出する（１０６）。警報監視盤５は、映像停止要求を受けると、映像蓄積手段２に送信終了要求を送出して、映像の送信を終了させる（１０７）。
【００３７】
なお、警報監視盤５は、住戸のインターホン１から映像確認要求を受けたときに、映像路が使用中であると、要求元のインターホン１に対してビジー通知を行う（１０８）。住戸のインターホン１では、ビジー通知を受ければ、回覧板確認ボタンの操作が無効であることを、アラーム音で報知したり、表示回路１３に表示する。
【００３８】
このように、映像蓄積手段２は、各住戸のインターホン１のいずれにも、他の映像信号が送信されていないときにのみ、蓄積した映像信号を送信するので、この映像信号の送信が、ロビーインターホン７側からの呼出時における住戸側への映像送信の妨げになることがなく、住戸側において、前もって、映像路の使用状態を確認する必要もない。
【００３９】
次に、集合住宅監視通話システムの別の構成について説明する。住戸のモニタテレビ付インターホン１は録画機能を備え、映像蓄積手段２は、蓄積した映像信号を送信して、その映像を住戸のインターホン１に録画させる。この場合の住戸のインターホン１の構成は、図５に示すようになっており、図２に示した構成に加えて、モニタテレビＭに、ＬＥＤなどで構成される表示回路１Ｂと、メモリなどで構成される蓄積回路１Ｃとを備えている。
【００４０】
このように、住戸側に録画機能を備えれていれば、映像蓄積手段２は、予め、各住戸側に映像を送信しておくと、各住戸側から確認要求がある度に蓄積映像を送信する必要がないので、映像路が使用中になり、住戸においてロビーインターホン７からの映像が確認できなくなる場合を少なくできる。
【００４１】
このときの集合住宅監視通話システムの動作の一例を図６に示す。ここでは、映像蓄積手段２は、映像を蓄積すると、その映像を、すぐにすべての住戸のインターホン１に対して送信し、各住戸のモニタテレビＭに録画させるようになっている。
【００４２】
管理センタ３は、電子回覧板情報を通信回線Ｌを介して送信し（２００）、映像蓄積手段２（映像蓄積回路２２）に蓄積させる（２０１）。すると、映像蓄積手段２は、新しく更新される映像が蓄積されたことを、映像蓄積通知として警報監視盤５に送出する（２０２）。したがって、映像蓄積手段２には、蓄積している映像の更新有無を判別する手段を備えている。
【００４３】
警報監視盤５は、映像蓄積手段２から映像蓄積通知を受ければ、ロビーインタホン７から住戸のインターホン１の呼び出しなどにより、映像路が使用中であるかを確認する（２０３）。このとき、映像路が使用中でなければ、映像蓄積手段２に対して、映像の送信開始要求を行う（２０４）。
【００４４】
そうすると、映像蓄積手段２は、映像制御盤６を介して、インターホン１に対し、蓄積していた映像信号を送信する（２０５）。このとき、警報監視盤５からロビーインターホン７に対しては制御信号が送出され、ロビーインターホン７では、映像路が使用中であることをランプの点灯や点滅などで表示する。
【００４５】
住戸のインターホン１は、受信した映像を蓄積回路１Ｃにて録画すると（２０６）、表示回路１Ｂの更新表示灯が点灯又は点滅する。このとき、住戸のインターホン１では、録画と同時に、録画中の映像をＬＣＤ１９に映し出すようにしてもよい。警報監視盤５は、映像蓄積手段２から送信終了通知を受けると、ロビーインターホン７に対して制御信号を送出し、映像路の使用中状態を解除させる。
【００４６】
住戸のインターホン１では、更新表示灯を見て録画がされていることを確認し、回覧板確認ボタンを操作すれば、録画していた映像をモニタテレビＭに映し出し、更新表示灯を消灯させる。なお、回覧板確認ボタンや更新表示灯は、本体部１ａとモニタテレビＭのいずれに備わっていてもよい。
【００４７】
また、警報監視盤５は、映像蓄積手段２から映像蓄積通知を受けたときに、映像路が使用中であれば、映像路の使用が終了するのを待ってから（２０３）、映像蓄積手段２に対して、映像の送信開始要求を行う（２０４）。このように、映像蓄積手段２は、各住戸のインターホン１のいずれにも、他の映像信号が送信されていないときにのみ、蓄積した映像信号を送信するので、この映像信号の送信が、ロビーインターホン７側から住戸側への映像の送信の妨げになることがない。
【００４８】
なお、住戸のインターホン１における録画は、映像蓄積手段２が各住戸のインターホン１から要求があり、これに対して、蓄積した映像信号を要求元の住戸のインターホン１に送信する場合であっても行うことができる。このとき、住戸のインターホン１では、録画と同時に、録画中の映像がモニタテレビＭに映し出される。
【００４９】
次に、集合住宅監視通話システムの更に別の構成について説明する。映像蓄積手段２は、時計機能を更に備えており、予め定めた時刻になったときに、蓄積した映像信号を送信する。図７では、警報監視盤５に時計機能を備えるようにしており、図３（ｃ）の構成に加えて時計回路５５を備えている。
【００５０】
このように、映像蓄積手段２から、蓄積した画像を予め設定した時刻に送信する構成にすれば、その時刻として夜間の時刻を設定しておけば、来客が多い昼間のロビーインターホン７からの住戸の呼出時に、住戸においてロビーインターホン７側の映像が確認できない場合がなくなる。
【００５１】
このときの集合住宅監視通話システムの動作は、図６に示した動作と同様であり、映像路の空き状態を確認する（２０３）代わりに、時計回路５５による時刻が予め定めた時刻になったときに、映像蓄積手段２に対して、映像の送信開始要求（２０４）を行うようにすればよい。なお、予め設定される時刻は、通常は夜間の時刻に設定するため、住戸のインターホン１では、そのときに受信した映像を録画することが好ましい。
【００５２】
なお、設定時刻に蓄積映像を送信する場合であっても、警報監視盤５は、映像路の空き状態を確認してから、映像蓄積手段２に対し、映像の送信開始要求（２０４）を行ってもよい。そうすれば、その時刻に、たまたま、ロビーインターホン７側からの呼出があって住戸側へ映像信号が送信されていても、その終了後に、蓄積映像を送信できる。
【００５３】
また、映像蓄積手段２は、各住戸のインターホン１から要求があった後に、設定時刻になるのを待ってから、蓄積した映像信号を要求元の住戸のインターホン１に対して送信するようにしてもよい。そうすれば、蓄積画像を必要とする住戸のみが、設定時刻に映像信号を受信し、録画しておくことができる。
【００５４】
次に、住戸のインターホン１に対して送信される映像信号の構成について説明する。管理センタ３は、画像蓄積手段２に対して、同期用の映像信号を付加した映像信号を送信する。また、映像蓄積手段２は、住戸のインターホン１に対して、同期用の映像信号を付加した映像信号を送信する。すなわち、同期用の映像信号の付加は、管理センタ３、映像蓄積手段２のいずれで行ってもよい。
【００５５】
このように、映像信号に同期用の信号を付加すれば、住戸のインターホン１では、警報監視盤５から制御信号を受信してモニタテレビＭを起動した後、この同期用の信号を検出したときに、録画モードを開始し、受信映像を録画することができる。また、この同期用の信号を映像信号で構成しているので、住戸のインターホン１では容易に同期がとれる。この同期用の映像信号は、通常、カメラなどで撮影されることがない、例えば、白レベルが０％である所定時間の映像で構成すればよい。
【００５６】
図８には、この場合の住戸のモニタテレビＭの構成の例を示している。図示したモニタテレビＭは、図５に示した構成のうち、蓄積回路１Ｃを更に詳しく示しており、蓄積回路１Ｃは、メモリ１Ｄと、映像信号の圧縮／伸長回路１Ｅとで構成されている。圧縮／伸長回路１Ｅでは、色レベル検知信号をＣＰＵ回路１５に通知するようになっており、ＣＰＵ回路１５では、この信号を基に、同期用の映像信号を検出する。
【００５７】
図９には、映像蓄積手段２から送信される映像信号の例を模式的に示している。ここでは、同期用の映像信号が録画起動用映像として付加されており、この録画起動用映像が付加された信号が、映像蓄積手段２からエンドレス送信されるようになっている。このとき、住戸側のインターホン１は、録画起動用映像を検出してから、次の録画起動用映像を検出するまでの間の映像信号を受信して録画すればよい。
【００５８】
図示した映像信号は、２秒間で構成される複数の掲示板の映像と、３秒間で構成される録画起動用映像とで構成されている。録画起動用映像は、通常はあり得ない映像（例えば、白レベル０％）で構成されるとともに、その時間も掲示板映像とは異なっているので、住戸のインターホン１では検出がしやすい。住戸のインターホン１（モニタテレビＭ）では、録画起動用映像に挟まれている掲示板画像を取り込めばよい。
【００５９】
次に、住戸のインターホン１における録画映像の更新について、図１０とともに説明する。図１０（ａ）に示すように、更新前には、モニタテレビＭのメモリ１Ｄに、最大１５画面のうち、「掲示板Ａ〜Ｈ」の８画面が録画されているとする。この状態で、図９に示したような映像信号を受信したときには、図１０（ｂ）に示すように、更新後のメモリ１Ｄ内は、受信した映像信号によって上書きされ、上書きされなかった映像（斜線で示す「掲示板Ｈ」）は削除される。ここでは、更新の結果、「掲示板１」が追加され、「掲示板Ｆ」と「掲示板Ｇ」が期限切れなどのために削除されている。
【００６０】
【発明の効果】
以上の説明からも理解できるように、本発明の請求項１〜請求項７の各々に記載の集合住宅監視通話システムは、映像蓄積手段を備えており、この映像蓄積手段は、管理センタから通信回線を通じて映像信号を受信すれば、その映像信号を蓄積した後、各住戸のインターホンに対して送信する。
【００６１】
これによって、遠隔の管理センタから集合住宅の各住戸に、電子回覧板情報などを送信することができる。また、管理センタでは、複数の集合住宅に対して一括に電子回覧板情報を送信して、多くの住戸に所望の映像を送信することができる。また、遠隔の管理センタから映像信号を送信すれば、従来のように、予め覧内容を用紙に記載する必要がなく、その用紙を画像取込装置から取り込まなくてもよいので、わざわざ管理人室などに出向く必要もない。
特に、請求項１では映像蓄積手段は、各住戸のインターホンのいずれにも、他の映像信号が送信されていないときにのみ、蓄積した映像信号を送信するので、ロビーインターホンからの映像が呼出先の住戸側に送信されている場合に、その終了を待ってから蓄積画像を送信することができる。
【００６２】
特に、請求項２では、各住戸のインターホンは、映像蓄積手段に要求すれば、蓄積した映像信号を受信できるので、住戸のインターホンでは、好きなときに、回覧板映像などが確認できる。
【００６３】
また、請求項３では、住戸のインターホンは、映像蓄積手段から映像信号を受信して録画しておくことができるので、映像蓄積手段は、前もって映像を住戸側に送信し録画させておけば、住戸側からの確認要求がある度に、蓄積映像を送信する必要がなく、映像路が使用中になり、住戸においてロビーインターホンからの映像が確認できなくなる場合がない。
【００６５】
請求項４では、映像蓄積手段は、予め定めた時刻になったときに、蓄積した映像信号を送信するので、その時刻に夜間の時刻を設定しておけば、来客が多い昼間のロビーインターホンからの呼出時に、住戸において映像が確認できない場合がなくなる。
【００６６】
請求項５では、管理センタは、画像蓄積手段に対して、同期用の映像信号を付加した映像信号を送信し、請求項６では、映像蓄積手段は、住戸のインターホンに対して、同期用の映像信号を付加した映像信号を送信するので、住戸のインターホンでは、同期用の映像信号を検出したときに、録画を開始することができる。また、同期用の信号を映像信号で構成しているので、住戸のインターホンでは容易に同期がとれる。
【００６７】
請求項７では、映像蓄積手段は、同期用の映像信号を付加した映像信号をエンドレス送信するので、住戸側のインターホンでは、同期用の映像信号を検出して、同期用の映像信号の間に受信する映像信号を取り込むことができる。
【図面の簡単な説明】
【図１】 本発明の集合住宅監視通話システムの構成の一例を示す図である。
【図２】 モニタテレビ付インターホンの構成の一例を示すブロック図である。
【図３】 映像蓄積手段、映像制御盤、警報監視盤の構成の一例を示すブロック図である。
【図４】 本発明の集合住宅監視通話システムの動作の一例を示す図である。
【図５】 モニタテレビ付インターホンの構成の他の例を示すブロック図である。
【図６】 本発明の集合住宅監視通話システムの動作の他の例を示す図である。
【図７】 警報監視盤の構成の他の例を示すブロック図である。
【図８】 モニタテレビの構成の他の例を示すブロック図である。
【図９】 映像蓄積手段から送信される映像信号を模式的に示す図である。
【図１０】 インターホンにおける録画映像の更新を説明するための図である。
【図１１】 従来の集合住宅監視通話システムの構成を示す図である。
【符号の説明】
１  モニタテレビ付インターホン
２  映像蓄積手段
３  管理センタ
５  警報監視盤
６  映像制御盤
７  ロビーインターホン
Ｌ  通信回線
【図１】
0003657847.tif 000002
【図２】
0003657847.tif 000003
【図３】
0003657847.tif 000004
【図４】
0003657847.tif 000005
【図５】
0003657847.tif 000006
【図６】
0003657847.tif 000007
【図７】
0003657847.tif 000008
【図８】
0003657847.tif 000009
【図９】
0003657847.tif 000010
【図１０】
0003657847.tif 000011
【図１１】
0003657847.tif 000012